(57)【特許請求の範囲】
【請求項１】
着用者の足の前足部領域から踵部領域にかけて延設されるアウトソールプレート本体と、
前記アウトソールプレート本体底面の前記踵部領域に設けられた第１突起、第２突起、および第３突起と、を含み、
前記第１突起は、前記踵部領域の内甲側に配置され、
前記第２突起は、前記踵部領域の外甲側に配置され、
前記第３突起は、前記踵部領域の中央付近に配置され、
前記第１突起および前記第２突起は、前記第３突起より前記踵部領域の後端側に配置され、前記第１突起、前記第２突起、および前記第３突起の頂点を結ぶと三角形状となり、
前記アウトソールプレート本体底面の前記踵部領域に設けられ、前記第１突起、第２突起、および第３突起より背の低い第１補助突起および第２補助突起を含み、
前記第１補助突起は、前記第３突起より前記内甲側に配置され、
前記第２補助突起は、前記第３突起より前記外甲側に配置され、
前記第３突起、前記第１補助突起、および前記第２補助突起の頂点を結ぶと略直線状となり、
体重移動に応じて少なくとも前記第１突起、前記第２突起、および前記第３突起の三本の突起、前記第２突起、前記第３突起、および前記第２補助突起の三本の突起、あるいは、前記第１突起、前記第３突起、および前記第１補助突起の三本の突起で接地して支持するように構成されている
ことを特徴とするアウトソール。
【請求項２】
請求項１に記載のアウトソールであって、
前記アウトソールプレート本体底面の前記踵部領域に設けられた第４突起および第５突起を含み、
前記第４突起は、前記踵部領域の前記前足部領域側の前記内甲側に配置され、
前記第５突起は、前記踵部領域の前記前足部領域側の前記外甲側に配置され、
前記第３突起、前記第４突起、および前記第５突起の頂点を結ぶと三角形状となる
ことを特徴とするアウトソール。
【請求項３】
請求項２に記載のアウトソールであって、
前記アウトソールプレート本体底面の中足部領域に設けられた第６突起および第７突起を含み、
前記第６突起は、前記中足部領域の前記内甲側に配置され、
前記第７突起は、前記中足部領域の前記外甲側に配置されている
ことを特徴とするアウトソール。
【請求項４】
請求項３に記載のアウトソールであって、
前記アウトソールプレート本体底面の前記前足部領域に設けられた第８突起、第９突起、第１０突起、および第１１突起を含み、
前記第８突起は、前記前足部領域の前記中足部領域側の前記内甲側に配置され、
前記第９突起は、前記前足部領域の前記中足部領域側の前記外甲側に配置され、
前記第１０突起は、前記前足部領域の前端側の前記内甲側に配置され、
前記第１１突起は、前記前足部領域の前記前端側の前記外甲側に配置されている
ことを特徴とするアウトソール。
【請求項５】
請求項１〜４のいずれか一項に記載のアウトソールを備える履物。
【発明の詳細な説明】
【技術分野】
【０００１】
本発明は、アウトソール、及び履物に関する。
【背景技術】
【０００２】
歩行時に使用する一般的な靴は、アウトソール（靴底）が平面状のものが多い。
【０００３】
特許文献１には、複数の突起が全面に配置された平面状の靴底が記載されている。
【先行技術文献】
【特許文献】
【０００４】
【特許文献１】特開２０１２−２００５８２号
【発明の概要】
【発明が解決しようとする課題】
【０００５】
しかし、アウトソールが平面状の靴は、面で接地するため、接地時に重心がどの位置にあるか分かりにくい。
【０００６】
本発明は、重心の位置が分かり易く、安定した歩行をサポートするアウトソールを提供することを目的とする。
【課題を解決するための手段】
【０００７】
本発明は、上記課題の少なくとも１つを解決するものであるが、その例を挙げるならば、次の通りである。すなわち、本発明の一態様であるアウトソールは、着用者の足の前足部領域から踵部領域にかけて延設されるアウトソールプレート本体と、アウトソールプレート本体底面の前記踵部領域に設けられた第１突起、第２突起、および第３突起と、を含み、前記第１突起は、前記踵部領域の内甲側に配置され、前記第２突起は、前記踵部領域の外甲側に配置され、前記第３突起は、前記踵部領域の中央付近に配置されていることを特徴とする。
【０００８】
前記第１突起および前記第２突起は、前記第３突起より前記踵部領域の後端側に配置され、前記第１突起、前記第２突起、および前記第３突起の頂点を結ぶと三角形状となっていてもよい。
【０００９】
前記アウトソールプレート本体底面の前記踵部領域に設けられ、前記第１突起、第２突起、および第３突起より背の低い第１補助突起および第２補助突起を含み、前記第１補助突起は、前記第３突起より前記内甲側に配置され、前記第２補助突起は、前記第３突起より前記外甲側に配置され、前記第３突起、前記第１補助突起、および前記第２補助突起の頂点を結ぶと略直線状となっていてもよい。
【００１０】
前記アウトソールプレート本体底面の前記踵部領域に設けられた第４突起および第５突起を含み、前記第４突起は、前記踵部領域の前記前足部領域側の前記内甲側に配置され、前記第５突起は、前記踵部領域の前記前足部領域側の前記外甲側に配置され、前記第３突起、前記第４突起、および前記第５突起の頂点を結ぶと三角形状となっていてもよい。
【００１１】
前記アウトソールプレート本体底面の中足領域に設けられた第６突起および第７突起を含み、前記第６突起は、前記中足部領域の前記内甲側に配置され、前記第７突起は、前記中足部領域の前記外甲側に配置されていてもよい。
【００１２】
前記アウトソールプレート本体底面の前記前足部領域に設けられた第８突起、第９突起、第１０突起、および第１１突起を含み、前記第８突起は、前記前足部領域の前記中足部領域側の前記内甲側に配置され、前記第９突起は、前記前足部領域の前記中足部領域側の前記外甲側に配置され、前記第１０突起は、前記前足部領域の前端側の前記内甲側に配置され、前記第１１突起は、前記前足部領域の前記前端側の前記外甲側に配置されていてもよい。
【００１３】
また、本発明の他の態様は、アウトソールを備える履物であってもよい。
【発明の効果】
【００１４】
本発明によれば、重心の位置が分かり易く、安定した歩行をサポートするアウトソールを提供することができる。
【図面の簡単な説明】
【００１５】
【図１】本実施形態に係るアウトソールの概略構成例を示す図である。
【図２】本実施形態に係るアウトソールの概略構成例を示す図である。
【図３】本実施形態に係るアウトソールの突起と足裏の位置関係の一例を示す図である。
【発明を実施するための形態】
【００１６】
本発明の実施形態の例について、以下、図に基づいて説明する。
【００１７】
図１および図２は、本実施形態に係るアウトソール１の概略構成例を示す図である。図１は、アウトソール１の底面１１、図２（ａ）は、アウトソール１の底面１１の内甲側から見た側面、図２（ｂ）は、アウトソール１の底面１１を示している。本実施形態では、左足のアウトソール１について示している。右足のアウトソール１は、左足のアウトソール１と対称となるように構成される。
【００１８】
アウトソール１は、アウトソールプレート本体１０と、複数の突起１００（突起１０１〜１１１）と、複数の補助突起２０（補助突起２１〜２６）と、を有している。本明細書では、突起１０１〜１１１を区別しない場合はこれらを突起１００と呼び、補助突起２１〜２６を区別しない場合はこれらを補助突起２０と呼ぶ。アウトソールプレート本体１０、複数の突起１００および複数の補助突起２０は、一体成形され、靴の底に取り付けて使用される。
【００１９】
アウトソールプレート本体１０は、薄肉のプレート状部材であり、地面側の底面１１と、その反対側の、着用者の足裏側に配置される足裏側面１２と、プレート状部材の外周縁部の全周に沿って上方（図２左方）に立ち上がる立ち上がり部１３と、を有している。立ち上がり部１３の内側面には、スポーツシューズ等の履物のアッパー（不図示）の下部外側面が固着されるようになっている。
【００２０】
アウトソールプレート本体１０は、着用者の足の前足部領域、中足部領域、および踵部領域にそれぞれ対応する、前足部領域１０ａ、中足部領域１０ｂ、および踵部領域１０ｃを有しており、前足部領域１０ａから中足部領域１０ｂを経て踵部領域１０ｃまで前後方向に延設されている。
【００２１】
アウトソールプレート本体１０の底面１１には、複数の突起１００が形成されている。踵部領域１０ｃの内甲側に、第１突起１０１、第４突起１０４が、外甲側に第２突起１０２、第５突起１０５が、中央付近に第３突起１０３が配置されている。中足部領域１０ｂの内甲側に第６突起１０６が、外甲側に第７突起１０７が配置されている。前足部領域１０ａの内甲側に第８突起１０８、第１０突起１１０が、外甲側に第９突起１０９、第１１突起１１１が配置されている。
【００２２】
具体的には、第１突起１０１および第２突起１０２は、踵部領域１０ｃの後端側に、第４突起１０４および第５突起１０５は中足部領域１０ｂ側に配置されている。第１突起１０１、第２突起１０２、および第３突起１０３の頂点、あるいは、第３突起１０３、第４突起１０４、および第５突起１０５の頂点を結ぶと三角形状となるように配置されている。また、第８突起１０８および第９突起１０９は、中足部領域１０ｂ側に、第１０突起１１０および第１１突起１１１は、前足部領域１０ａの前端側に配置されている。
【００２３】
アウトソールプレート本体１０の底面１１には、複数の補助突起２０が形成されている。踵部領域１０ｃの内甲側に第１補助突起２１、外甲側に第２補助突起２２が配置されている。中足部領域１０ｂの外甲側に第３補助突起２３が配置されている。前足部領域１０ａの中央付近に第４補助突起２４、内甲側に第５補助突起２５、外甲側に第６補助突起２６が配置されている。補助突起２０は、突起１００より背が低くなるように形成され、突起１００を補助する働きをする。
【００２４】
具体的には、第１補助突起２１は、第３突起１０３の内甲側で第１突起１０１と第４突起１０４の間、第２補助突起２２は、第３突起１０３の外甲側で第２突起１０２と第５突起１０５の間に配置されている。第３突起１０３、第１補助突起２１、および第２補助突起２２の頂点を結ぶと略直線状となるように配置されている。第３補助突起２３は、踵部領域１０ｃ側で第５突起１０５と第７突起１０７の間に配置されている。第４補助突起２４は、中足部領域１０ｂ側で第８突起１０８と第９突起１０９の間に配置されている。第５補助突起２５および第６補助突起２６は、前足部領域１０ａの前端側に配置されている。
【００２５】
突起１００の形状は、特に限定されず、例えば、円柱状、角柱状、円錐状、角錐状、円筒上、角筒状等である。また、突起１００の縦断面は、例えば、四角形状、三角形状、多角形状、台形状、複数の凸部を有する特殊形状等である。突起１００の頂部は、Ｒが付けられていてもよい。突起１００は、底面１１から外側に２ｍｍ〜８ｍｍ、好ましくは４ｍｍ〜６ｍｍの高さを有している。また、複数の補助突起２０は、１ｍｍ〜７ｍｍ、好ましくは２ｍｍ〜４ｍｍの高さを有している。補助突起２０の高さは、突起１００の高さより１ｍｍ〜２ｍｍ程度低く形成されるのが好ましい。
【００２６】
図３は、本実施形態に係るアウトソール１の突起１００および補助突起２０と足裏の位置関係の一例を示す図である。具体的には、アウトソール１と足裏の各部の名称および足の位置関係の概略を示している。図中、足裏の各部分、すなわち、足の指の裏Ａ（親指、人差し指、および中指を含む）、拇指球Ｂ（親指の付け根の膨らんだ辺り）、指尖球Ｃ（中指の付け根）、小指球Ｄ（小指の付け根）、足刀部分Ｅ（外側の部分）、土踏まずＦ（裸足で平地を歩いても平面を踏まない部分）、踵Ｇ（踵の部分）を破線で示している。また、足の位置を淡色で示している。複数の突起１００および複数の補助突起２０は、一部を除いて、足裏の各部分に該当する範囲に配置されている。
【００２７】
具体的には、第１突起１０１は、踵Ｇの後端側で内甲側、第２突起１０２は、踵Ｇの後端側で外甲側、第３突起１０３は、踵Ｇの中央付近、第４突起１０４は、舟状骨の真下の位置（土踏まずＦの辺り）、第５突起１０５は、立方骨と踵の関節の真下の位置（足刀部分Ｅの辺り）、第６突起１０６は、第１中足骨と内側楔状骨の関節の位置（土踏まずＦの辺り）、第７突起１０７は、第５中足骨内で立方骨側の位置（足刀部分Ｅの辺り）、第８突起１０８は、親指の付け根で第１基節骨と第１中足骨の関節の位置（拇指球Ｂの辺り）、第９突起１０９は、第５基節骨と第５中足骨との間の位置（指尖球Ｃまたは小指球Ｄの辺り）、第１０突起１１０は、親指の第１末節骨の位置（足の指の裏Ａの辺り）、第１１突起１１１は、中指と薬指の間で末節骨の位置（足の指の裏Ａの辺り）に配置されている。
【００２８】
上記したように、第１補助突起２１は、踵部領域１０ｃの内甲側で第１突起１０１と第４突起１０４の間、第２補助突起２２は、踵部領域１０ｃの外甲側で第２突起１０２と第５突起１０５の間、第３補助突起２３は、中足部領域１０ｂの外甲側で第５突起１０５と第７突起１０７の間、第４補助突起２４は、前足部領域１０ａの中央付近で第８突起１０８と第９突起１０９の間、第５補助突起２５は、前足部領域１０ａの前端の内甲側、第６補助突起２６は、前足部領域１０ａの前端の外甲側に配置されている。
【００２９】
次に、アウトソール１の作用について説明する。一般的に人間の歩行形態は、踵の外側から接地し、踵の内側に体重移動が行われ、続いて、小指の付け根側に体重移動が行われる。さらに、小指の付け根から親指の付け根へと体重移動が行われ、親指の付け根で蹴り出す歩行形態をしている。
【００３０】
この歩行形態に本実施形態のアウトソール１を適用すると、踵から入る際、第１突起１０１と第２突起１０２が接地し、次に第３突起１０３が接地する。このとき第１突起１０１、第２突起１０２、および第３突起１０３が接地していわゆる三点支持の状態が形成され安定する。重心が外側に移動した場合は、第２突起１０２、第３突起１０３、および第２補助突起２２が接地して三点支持の状態が形成される。また、重心が内側に移動した場合は、第１突起１０１、第３突起１０３、および第１補助突起２１が接地して三点支持の状態が形成される。その後、第３突起１０３、第４突起１０４、および第５突起１０５が接地して三点支持の状態が形成され安定する。接地面の状況によっては、第１突起１０１、第２突起１０２、第３突起１０３、第４突起１０４、および第５突起１０５が同時に接地する。
【００３１】
続いて、第４突起１０４、第５突起１０５、第６突起１０６、第７突起１０７、第８突起１０８、および第９突起１０９のうち複数が接地する。重心が外側に移動した場合は、第５突起１０５、第７突起１０７、および第９突起１０９が三点支持の状態を形成し、重心が内側に移動した場合は、第４突起１０４、第６突起１０６、および第８突起１０８が三点支持の状態を形成し安定する。このとき、第３補助突起２３と第４補助突起２４は、アウトソール１が撓むのを防止する働きをする。
【００３２】
重心が前方斜め外側に移動すると第７突起１０７、第９突起１０９、および第１１突起１１１が三点支持の状態を形成する。重心が前方斜め内側に移動すると第６突起１０６、第８突起１０８、および第１０突起１１０が三点支持の状態を形成する。さらに重心が前方斜め外側に移動すると第９突起１０９、第１０突起１１０、および第１１突起１１１が三点支持の状態を形成し、重心が前方斜め内側に移動すると第８突起１０８、第１０突起１１０、および第１１突起１１１が三点支持の状態を形成する。足がつま先から離れるときに、第１０突起１１０、第１１突起１１１、および第６補助突起２６、または、第１０突起１１０、第５補助突起２５、および第６補助突起２６が、三点支持を形成し、地面と接地して前進する推進力が生み出される。
【００３３】
運動時（単なる歩行よりも激しい運動）には、右側から左側に移動し、続いて右側に移動する場合、重心の位置により、第２突起１０２、第３突起１０３、および第５突起１０５が三点支持の状態を形成し、続いて、第５突起１０５、第７突起１０７、および第９突起１０９、あるいは、第７突起１０７、第９突起１０９、および第１１突起１１１が三点支持の状態を形成する。続いて、第９突起１０９、第１０突起１１０、および第１１突起１１１、あるいは、第８突起１０８、第１０突起１１０、および第１１突起１１１が三点支持の状態を形成し、すばやく移動をすることができる。
【００３４】
本実施形態によれば、重心の位置が分かり易く、安定した歩行をサポートするアウトソール１を提供することができる。
【００３５】
アウトソール１は、アウトソールプレート本体１０に複数の突起１００および複数の補助突起２０を配置し、足裏のどの部分に体重がかかっても三点支持の状態がとれて重心の位置が分かり易い。また、アウトソール１は、複数の突起１００および複数の補助突起２０が三点支持の状態を取るため、安定した歩行が行え、運動時のすばやい動きにも対応でき、エネルギーロスを軽減することができる。
【００３６】
アウトソール１は、起伏のある地面等、様々な状況に置いても安定し、スムーズな歩行を行うことができる。さらに複数の突起１００および複数の補助突起２０を備えるため、アウトソールプレート本体１０を薄く構成することができ、履物の軽量化を図ることができる。
【００３７】
アウトソール１は、複数の突起１００および複数の補助突起２０を足裏のツボに対応する位置に配置することもでき、歩行中に健康促進を図ることもできる。
【００３８】
アウトソール１は、トレーニング用、登山用、クロスカントリー用、エアロ（ラテン・ズンバ）・ヒップホップ用、歩行用、足の指圧用等、様々な種類の履物に用いることができる。
【００３９】
以上、本発明の実施形態について説明したが、上記に記載した実施形態は特許請求の範囲に係る発明を限定するものではない。上記の記載に基づいて、当業者であれば、本発明の追加の効果や種々の変形を容易に想到できるかもしれないが、本発明の態様は、上述した実施形態に限定されるものではない。特許請求の範囲に規定された内容およびその均等物から導き出される本願発明の概念的な思想と趣旨を逸脱しない範囲で種々の追加、変更および部分的削除が可能である。
【符号の説明】
【００４０】
１：アウトソール、１０：アウトソールプレート本体、１０ａ：前足部領域、１０ｂ：中足部領域、１０ｃ：踵部領域、１１：底面、１２：足裏側面、１３：立ち上がり部、２０：複数の補助突起、２１：第１補助突起、２２：第２補助突起、２３：第３補助突起、２４：第４補助突起、２５：第５補助突起、２６：第６補助突起、１００：複数の突起、１０１：第１突起、１０２：第２突起、１０３：第３突起、１０４：第４突起、１０５：第５突起、１０６：第６突起、１０７：第７突起、１０８：第８突起、１０９：第９突起、１１０：第１０突起、１１１：第１１突起、Ａ：足の指の裏、Ｂ：拇指球、Ｃ：指尖球、Ｄ：小指球、Ｅ：足刀部分、Ｆ：土踏まず、Ｇ：踵
【要約】
【課題】重心の位置が分かり易く、安定した歩行をサポートするアウトソールを提供する。
【解決手段】アウトソールは、着用者の足の前足部領域から踵部領域にかけて延設されるアウトソールプレート本体と、アウトソールプレート本体底面の踵部領域に設けられた第１突起、第２突起、および第３突起と、を含み、第１突起は、踵部領域の内甲側に配置され、第２突起は、踵部領域の外甲側に配置され、第３突起は、踵部領域の中央付近に配置されている。
【選択図】図１【図１】
0006811495.tif 000002
【図２】
0006811495.tif 000003
【図３】
0006811495.tif 000004